(57)【要約】【課題】  物品の左右方向の取付位置を容易に変更することができるとともに、がたつくことなく安定的に固定しうるようにする。【解決手段】  取付面２に開口部３よりも内部が幅広な係止溝４を設け、物品５の背面７に連結部８を介して、開口部３の幅よりも、短辺９ａが幅狭で、長辺９ｂが幅広な係止板９を連設する。  リング状の弾性を有するがたつき抑え部材１３を連結部８に外嵌し、係止板９の短辺９ａを開口部３の開口方向と整合させて係止溝４に嵌入し、次いで係止板９を９０度回転させて、がたつき抑え部材１３の弾性反発力により、係止板９の長辺方向の端部前面１４を、開口部３を形成する係止片１２の後面１５に圧接させる。【選択図】        図２
2009108992.tif 000002
【特許請求の範囲】
【請求項１】
構造体の取付面に形成された開口部よりも内部が幅広な係止溝に、物品を左右位置変更可能として固定する取付構造において、
係止溝を、内部の幅広溝の上下前端縁に係止片を設けて、これら係止片の端縁間を開口部として形成するとともに、物品の背面に、係止溝の開口部幅よりも幅狭な径の連結部を介して、短辺が前記開口部幅よりも幅狭で、長辺が前記開口部幅よりも幅広なほぼ矩形状の係止板を連設し、かつ外径が前記開口部幅よりも大きく、内径が前記連結部の径とほぼ同寸のリング状の弾性を有するがたつき抑え部材を連結部に外嵌して配置し、係止板の短辺と係止溝の開口部の開口方向とを整合させて、開口部の係止片の前面と物品の背面間で、がたつき抑え部材を圧縮変形させつつ係止構内に係止板を嵌入した後、係止板を９０度回転させることによって、がたつき抑え部材の弾性反発力により、係止板の長辺方向の端部前面を、開口部の上下係止片の後面に圧接させた状態で、物品を構造体に取付けたことを特徴とする物品の取付構造。
【請求項２】
係止板の長辺の寸法を、係止溝の内部の幅広溝の寸法とほぼ同一、またはやや幅狭とするとともに、ほぼ矩形状の係止板の対角に位置する角部を、係止板を係止溝内で９０度回転し得るように、円柱状の連結部と同心をなすほぼ円弧状に形成したことを特徴とする請求項１記載の物品の取付構造。
【請求項３】
係止板の長辺方向の端部前面を、端縁に向かうに従って後方に向かう傾斜部としたことを特徴とする請求項１または２記載の物品の取付構造。
【請求項４】
係止溝における開口部の上下係止片の端部後面を、左右方向の側面視において弧状に形成したことを特徴とする請求項１〜３のいずれかに記載の物品の取付構造。
【請求項５】
がたつき抑え部材の断面を、円状に形成したことを特徴とする請求項１〜４のいずれかに記載の物品の取付構造。
【請求項６】
連結部に、リング状のがたつき抑え部材を保持するための溝部を設けたことを特徴とする請求項１〜５のいずれかに記載の物品の取付構造。
【請求項７】
物品を、フックとしたことを特徴とする請求項１〜６のいずれかに記載の物品の取付構造。
【発明の詳細な説明】
【技術分野】
【０００１】
本発明は、構造体の取付面に形成された係止溝に、物品を左右位置変更可能として固定する物品の取付構造に関する。
【背景技術】
【０００２】
構造体に物品を固定する手段としては、接着剤または取付ねじを用いて固定する方法がある。
しかし、これらの方法は、物品の取付位置を変更する頻度が高い用途には適していない。
また、構造体の取付面に係止溝を設けて、この係止溝に適宜の係止手段により物品を係止する方法がある。
しかし、この方法は、取付位置の変更は容易であるが、所謂がたつくという問題がある。
【０００３】
これに対処して、構造体の取付面に開口部よりも内部が幅広な係止溝を設けて、この係止溝に物品を係止嵌合させることにより、がたつきを抑える発明が開示されている（特許文献１〜４）。
しかし、これらの発明は、いずれも、係止溝内にがたつきの抑え手段を設けているため、位置変更の操作を行う際に、前記がたつきの抑え手段の付勢力が抵抗となり、操作性が必ずしも良好でないという問題を有している。
また、取り付ける物品が合成樹脂製の場合は、物品とがたつき抑え部材とを一体にする必要があり、モールドして製作したり、連結する構造を両部材に形成しなければならず、再利用等の環境面、製作コスト等の問題がある。
【特許文献１】実開昭５９−１７４４０６号公報
【特許文献２】特開平１０−２１３１２０号公報
【特許文献３】特開２０００−２０５２２８号公報
【特許文献４】特開２０００−１７０７３２号公報
【発明の開示】
【発明が解決しようとする課題】
【０００４】
本発明は、前記の現状に鑑み、物品の左右方向の取付位置を容易に変更することができるとともに、物品をがたつくことなく安定的に固定した状態に容易に取付けることができる物品の取付構造を提供することを目的とする。
【課題を解決するための手段】
【０００５】
本発明によると、上記課題は、特許請求の範囲における各請求項に示すように、下記の構成を備える発明によって解決される。
(１)   構造体の取付面に形成された開口部よりも内部が幅広な係止溝に、物品を左右位置変更可能として固定する取付構造において、
係止溝を、内部の幅広溝の上下前端縁に係止片を設けて、これら係止片の端縁間を開口部として形成するとともに、物品の背面に、係止溝の開口部幅よりも幅狭な径の連結部を介して、短辺が前記開口部幅よりも幅狭で、長辺が前記開口部幅よりも幅広なほぼ矩形状の係止板を連設し、かつ外径が前記開口部幅よりも大きく、内径が前記連結部の径とほぼ同寸のリング状の弾性を有するがたつき抑え部材を連結部に外嵌して配置し、係止板の短辺と係止溝の開口部の開口方向とを整合させて、開口部の係止片の前面と物品の背面間で、がたつき抑え部材を圧縮変形させつつ係止構内に係止板を嵌入した後、係止板を９０度回転させることによって、がたつき抑え部材の弾性反発力により、係止板の長辺方向の端部前面を、開口部の上下係止片の後面に圧接させた状態で、物品を構造体に取付けたことを特徴とする物品の取付構造とする。 
【０００６】
(２)  上記(１)項において、係止板の長辺の寸法を、係止溝の内部の幅広溝の寸法とほぼ同一、またはやや幅狭とするとともに、ほぼ矩形状の係止板の対角に位置する角部を、係止板を係止溝内で９０度回転し得るように、円柱状の連結部と同心をなすほぼ円弧状に形成する。
【０００７】
(３)  上記(１)項または(２)項において、係止板の長辺方向の端部前面を、端縁に向かうに従って後方に向かう傾斜部とする。
【０００８】
(４)  上記(１)項〜(３)項のいずれかにおいて、係止溝における開口部の上下係止片の端部後面を、左右方向の側面視において弧状に形成する。
【０００９】
(５)  上記(１)項〜(４)項のいずれかにおいて、がたつき抑え部材の断面を、円状に形成する。
【００１０】
(６)  上記(１)項〜(５)項のいずれかにおいて、連結部に、リング状のがたつき抑え部材を保持するための溝部を設ける。
【００１１】
(７)  上記(１)項〜(６)項のいずれかにおいて、物品を、フックとする。
【発明の効果】
【００１２】
本発明によると、次のような効果が奏せられる。
請求項１記載の発明によれば、がたつき抑え部材の弾性反発力により、係止板の長辺方向の端部前面が、開口部の上下係止片の後面に圧接された状態となるので、物品をがたつくことなく安定的に固定した状態で取付けることができる。
【００１３】
また、係止溝の深さが異なる場合にも、物品を安定的に取付けることができる。
【００１４】
さらに、取付けも、係止板の短辺と係止溝の開口部の開口方向とを整合させて、係止溝の開口部を形成する上下の係止片の前面と、物品背面間でがたつき抑え部材を圧縮変形させつつ係止構内に係止板を嵌入した後、係止板を９０度回転させるだけの簡単な操作で、物品を構造体の取付面に容易に取付けることができる。
【００１５】
また、がたつき抑え部材の弾性反発力に抗して、物品を後方に押した状態で係止溝に沿って左右方向の所望の位置に移動させるだけの操作により、物品の取付位置を容易に変更することができる。
【００１６】
さらに、係止溝を上下に複数段に設けることにより、物品の上下方向の取付位置の変更も容易に可能となる。
【００１７】
請求項２記載の発明によれば、係止板の長辺の寸法が、係止溝の内部の幅広溝の寸法とほぼ同一、またはやや幅狭となっているため、物品を上下方向にがたつくことなく安定的に固定することができるとともに、係止板の対角に位置する角部を、係止板を係止溝内で９０度回転し得るように、円柱状の連結部と同心をなすほぼ円弧状に形成してあるため、取付操作を円滑に行うことができる。
【００１８】
請求項３記載の発明によれば、係止板の長辺方向の端部前面と、開口部の上下係止片の後面とが、面接触でなく線接触となるため、係止板を９０度回転させるときの摩擦抵抗が小さくなり、操作が容易となる。
【００１９】
請求項４記載の発明によれば、請求項３記載の発明と同様な効果が奏せられる。
【００２０】
請求項５記載の発明によれば、係止溝の開口部を形成する上下の係止片の前面と、がたつき抑え部材の後面間、およびがたつき抑え部材の前面間と、物品の背面間とが比較的小さい面接触となるため、係止板を９０度回転させるときの摩擦抵抗が小さくなり、操作が容易となる。
【００２１】
請求項６記載の発明によれば、リング状のがたつき抑え部材が、溝部に嵌合して保持されるため、がたつき抑え部材の位置安定性が向上し、物品の取付時の操作性が良好となる。
【００２２】
請求項７記載の発明によれば、係止溝に直接物品を取付ける場合は、物品を変更する毎に、その物品を本発明を適用して係止溝に固定するために、当該物品の背面に、連結部を介して係止板を設ける必要があるが、フックを係止溝に固定した場合には、このフックに単に物品を掛止するだけで簡単に、各種物品を係止溝に間接的に取付けることができる。
【発明を実施するための最良の形態】
【００２３】
以下、物品をフックとした実施例に基づいて、本発明を図面を参照して詳説する。
【００２４】
図１は、本発明を適用して、構造体としてのパネルに、フックを取付けた斜視図、図２は、図１におけるII−II線断面拡大図、図３は、フックの後上方視斜視図、図４は、同じくフックの側面図、図５は、同じくフックの背面図である。
【００２５】
図１、図２に示すように、パネル（構造体）１の取付面２には、開口部３よりも内部が幅広な係止溝４が、左右方向に設けられている。
【００２６】
この係止溝４には、フック（物品）５が取付けられている。
【００２７】
フック５は、図３〜図５に示すように、フック本体６の背面（物品背面）７に連結部８を介して係止板９が連設されている。
【００２８】
フック本体６は、側面視ほぼＬ字状をなし、底板１０の前端縁には係止立片１１が設けられている。  
【００２９】
連結部８は、円柱状をなし、その径は、係止溝４の開口部３の幅寸法Ｌ１よりもやや幅狭となっている。
【００３０】
係止板９は、短辺９ａが開口部３の幅寸法Ｌ１よりも幅狭で、長辺９ｂが前記幅寸法Ｌ１よりも幅広なほぼ矩形状をなしている。
【００３１】
矩形状の係止板９の対角に位置する角部は、後記する理由から、円柱状の連結部８と同心をなすほぼ円弧状に形成されている（図５参照）。
【００３２】
係止溝４は、内部の幅広溝の上下前端縁に係止片１２，１２が設けられ、これら係止片１２，１２の端縁間を開口部３として、開口部３よりも内部が幅広な係止溝となっている。
【００３３】
上下の係止片１２，１２の前面と、フック５の背面７間には、弾性を有するリング状のがたつき抑え部材１３が連結部８に外嵌して配設されており、このがたつき抑え部材１３が圧縮変形状態となって、この圧縮変形による弾性反発力によって、係止板９の長辺方向の端部前面１４，１４が、上下係止片１２，１２の後面１５，１５に圧接されている。
【００３４】
このように、がたつき抑え部材１３の圧縮変形による弾性反発力を利用して、フック５がパネル１にがたつくことなく安定的に固定した状態で取付けられている。
【００３５】
連結部８の長さは、がたつき抑え部材１３が前記のように、圧縮変形して弾性反発力を生じうるような長さに予め設計されている。
【００３６】
がたつき抑え部材１３は、外径が係止溝４の開口部３の幅Ｌ１よりも大きく、内径が連結部８の径とほぼ同寸であり、断面が円状となっている。
【００３７】
図６、図７は、フック５を、係止溝４に係止させる手段を示す斜視図である。
【００３８】
フック５を、係止溝４に係止させるには、図６に示すように、まずフック本体６の背面７に連設されている係止板９の短辺９ａと係止溝４の開口部３の開口方向とを整合させて、開口部３を形成する上下係止片１２，１２の前面１６，１６とフック本体６の背面７間で、がたつき抑え部材１３を圧縮変形させつつ係止溝４内に係止板９を嵌入する。
【００３９】
次いで、矢印Ａで示すようにフック本体６とともに係止板９を９０度回転させて、図７に示す状態とすることにより、フック５を、係止溝４に係止させて、がたつくことがないように容易に取付けることができる。
【００４０】
フック５の上下方向のがたつきを防止するために、係止板９の長辺の寸法は、係止溝４の内部の幅広溝の寸法Ｌ２とほぼ同一、またはやや幅狭に形成されるとともに、係止板９の前記９０度の回転操作を容易にするために、矩形状の係止板９の対角に位置する角度は、係止板９を係止溝４内で回転し得るように、円柱状の連結部８と同心をなすほぼ円弧状に形成されている。
【００４１】
係止板９の長辺方向の端部前面１４は、図２、図４に示すように、端縁に向かうに従って後方に向かう傾斜部として形成されている。
【００４２】
このような傾斜部とすることにより、係止板９の長辺方向の端部前面１４と、開口部３の上下係止片１２，１２の後面１５とが、面接触でなく線接触となるため、係止板９を９０度回転させるときの摩擦抵抗が小さくなり、操作が容易となる。
【００４３】
図８は、本発明の別実施形態を示し、図２に対応する断面図である。
【００４４】
本実施形態では、構造体１７の取付面１８に設けられた係止溝１９の開口部２０を形成する上下係止片２１，２１の端部後面２２，２２が、左右方向の側面視において弧状に形成されている。
【００４５】
これにより、フック２３における係止板２４の長辺方向の端部前面２５，２５と、前記上下係止片２１，２１の端部後面２２，２２とが、面接触でなく線接触となるため、係止板２４を９０度回転させるときの摩擦抵抗が小さくなり、操作が容易となる。
【００４６】
また、連結部２６におけるリング状のがたつき抑え部材２７の配設位置には、このがたつき抑え部材２７を保持するための溝部２８が設けられて、がたつき抑え部材２７の位置安定性を向上させ、フック２３の取付時の操作性が良好となっている。
【図面の簡単な説明】
【００４７】
【図１】本発明を適用して、構造体としてのパネルに、フックを取付けた斜視図である。
【図２】図１におけるII−II線断面拡大図である。
【図３】フックの後上方視斜視図である。
【図４】同じく、フックの側面図である。
【図５】同じく、フックの背面図である。
【図６】フックを、係止溝に係止させる手順を示す斜視図である。
【図７】同じく、フックを、係止溝に係止させる手順を示す斜視図である。
【図８】本発明の別実施形態を示し、図２に対応する断面図である。
【符号の説明】
【００４８】
１    パネル（構造体）
２    取付面
３    開口部
４    係止溝
５    フック（物品）
６    フック本体
７    背面（物品の背面）
８    連結部
９    係止板
９ａ  短辺
９ｂ  長辺
１０  底板
１１  係止立片
１２  上下係止片
１３  がたつき抑え部材
１４  係止板の長辺方向端部の前面
１５  上下係止片の後面
１６  上下係止片の前面
１７  構造体
１８  取付面
１９  係止溝
２０  開口部
２１  上下係止片
２２  上下係止片の端部後面
２３  フック
２４  係止板
２５  係止板の長辺方向端部の前面
２６  連結部
２７  がたつき抑え部材
２８  溝部
【図１】
2009108992.tif 000003
【図２】
2009108992.tif 000004
【図３】
2009108992.tif 000005
【図４】
2009108992.tif 000006
【図５】
2009108992.tif 000007
【図６】
2009108992.tif 000008
【図７】
2009108992.tif 000009
【図８】
2009108992.tif 000010